(57)【要約】【課題】本発明は、カバーの取り付けられている挿入口に挿入される各種記憶メディアから画像データを読み出して各種画像処理を行う画像処理装置に関する。【解決手段】複合装置１は、画像処理対象の画像データを記憶する各種記憶メディアをメディアＩ／Ｆ２２５へ挿入するメディア挿入口を、メディアカバーで覆うとともにメディアカバーの開閉をメディアカバー開閉検知部２２６で検出し、カバー開閉検出結果に基づいて、記憶メディアからの画像データの読み込み動作を制御する。したがって、記憶メディアからの画像データの読み込み中に記憶メディアが引き抜かれて、記憶メディア自体や記憶メディア内の画像データが破壊される等を防止し、安全性と利用性を向上させる。【選択図】          図１
2006135462.tif 000002
【特許請求の範囲】
【請求項１】
携帯型記憶媒体が着脱可能に装着される挿入口と、当該挿入口を開閉可能に覆うカバーと、当該カバーの開閉を検出する開閉検出手段と、前記カバーを開けて前記挿入口に挿入された前記携帯型記憶媒体から少なくとも画像データを読み込んで、当該読み込んだ画像データに種々の画像処理を施す画像処理装置であって、前記開閉検出手段の検出結果に基づいて前記挿入口に挿入されている前記携帯型記憶媒体からの前記画像データの読み込み動作を制御することを特徴とする画像処理装置。
【請求項２】
前記画像処理装置は、所定の報知手段を備え、前記携帯型記憶媒体からの前記画像データの読み込み動作中に、前記開閉検出手段が前記カバーの開かれたことを検出すると、当該画像データの読み込み動作を中止し、前記カバーを閉じることを要求する報知情報を前記報知手段から出力することを特徴とする請求項１記載の画像処理装置。
【請求項３】
前記画像処理装置は、所定の報知手段、所定の表示手段及び所定の選択手段を備え、前記挿入口に挿入された前記携帯型記憶媒体の画像データの画像を当該表示手段に表示して、当該表示した画像のうち前記選択手段で選択された画像の画像データを前記携帯型記憶媒体から読み込んで、当該読み込んだ画像データに種々の画像処理を施すとともに、当該画像処理中に、前記開閉検出手段が前記カバーの開かれたことを検出すると、当該画像データの読み込み動作を中止し、前記カバーを閉じることを要求する報知情報を前記報知手段から出力することを特徴とする請求項１または請求項２記載の画像処理装置。
【請求項４】
前記画像処理装置は、前記画像データを前記携帯型記憶媒体から読み込むと、前記画像処理を開始する前に、前記カバーを開けて当該携帯型記憶媒体を前記挿入口から取り出すことを要求する報知情報を前記報知手段から出力することを特徴とする請求項２または請求項３記載の画像処理装置。
【請求項５】
前記画像処理装置は、前記報知手段が表示手段であり、前記報知情報を当該表示手段に表示出力するとともに、前記開閉検出手段が前記カバーの開閉を検出して前記携帯型記憶媒体が前記挿入口から引き抜かれるまで、当該報知情報の当該表示手段への表示出力を継続することを特徴とする請求項４記載の画像処理装置。
【請求項６】
前記画像処理装置は、所定の報知手段と、画像を記録媒体に印刷出力する印刷手段とを備え、前記画像処理した前記画像を前記印刷手段で印刷出力するとともに、当該画像処理中に前記開閉検出手段が前記カバーの開閉を検出すると、前記当該印刷出力前に、前記携帯型記憶媒体から画像データの読み込み直しを行うか否かを問い合わせる問い合わせ情報を前記報知手段から報知出力し、当該問い合わせ情報に基づく読み直しの要否に応じて処理を行うことを特徴とする請求項１から請求項５のいずれかに記載の画像処理装置。
【請求項７】
前記報知手段は、所定の表示手段であり、前記問い合わせ情報を当該表示手段に表示出力することを特徴とする請求項６記載の画像処理装置。
【請求項８】
前記報知手段は、所定のブザー音を出力するブザー音出力手段であり、前記問い合わせ情報をブザー音としてブザー音出力手段から出力することを特徴とする請求項６記載の画像処理装置。
【請求項９】
前記報知手段は、音声メッセージを出力する音声出力手段であり、前記問い合わせ情報を音声メッセージとして前記音声出力手段から出力することを特徴とする請求項６記載の画像処理装置。
【請求項１０】
前記報知手段は、動画を表示出力する動画表示手段であり、前記問い合わせ情報を動画の形式で当該動画表示手段に表示出力することを特徴とする請求項６記載の画像処理装置。
【発明の詳細な説明】
【技術分野】
【０００１】
本発明は、画像処理装置に関し、詳細には、カバーの取り付けられている挿入口に挿入される各種記憶メディア（携帯型記憶媒体）から画像データを読み出して各種画像処理を行う画像処理装置に関する。
【背景技術】
【０００２】
近年、小型の記憶メディア（携帯型記憶媒体）が普及し、撮影した画像や文書等を保存するようになってきている。このような小型の記憶メディアとしては、例えば、スマートメディア、 ＤＶＤ（Digital Video Disk）、ＣＤ−Ｒ（Compact Disc Recordable ）、ＣＤ−ＲＷ（Compact Disc Rewritable ）、コンパクトフラッシュ（ＣＦ：登録商標）、マルチメディアカード（ＭＭＣ）、ＳＤカード（Secure Digital：ＳＤ）、メモリスティック（Memory Stick：ＭＳ）等の各種記憶メディアがある。
【０００３】
このような記憶メディアに記録されたデータは、コンピュータ等の情報処理装置（以下、コンピュータという。）のメディアインタフェースに挿入されて読み取られたり、また、コンピュータで編集等が行われてメディアインタフェースに挿入された記憶メディアに編集後のデータを書き込む等の処理を行うのが一般的であった。
【０００４】
ところが、近年、デジタルカメラ等で撮影した画像のデジタルデータを読み込んで背景あるいはフレームを選択して所定枚数プリントアウトする画像プリント装置が出現し、店舗等に設置されるようになってきている。
【０００５】
そして、記憶メディアをメディアインタフェースに着脱可能に装着してデータの入出力を行う場合、途中で記憶メディアの脱落や引き抜き等が発生するのを防止するために、従来から、メディアインタフェース部分に開閉可能なカバーが取り付けられている。
【０００６】
このようなカバーをメディアインタフェースに取り付けた従来技術としては、例えば、本出願人が先に提案した開閉カバーがあり、この開閉カバーは、メモリカード等の挿入着脱可能な収納部の開閉カバーの開操作を検知するカバーオープンスイッチを筐体側に設けている（特許文献１参照）。
【０００７】
また、従来、デジタルカメラ等の撮像装置で撮影された写真画像の画像データを記憶する記憶メディアが挿入口から挿入されると読み取って印刷出力する画像プリント装置の当該挿入口に開閉自在のカバーを設けた画像プリント装置が提案されている（特許文献２参照）。
【０００８】
【特許文献１】特許第２８３８７３１号公報
【特許文献２】特開２００２−３００３３４号公報
【発明の開示】
【発明が解決しようとする課題】
【０００９】
しかしながら、上記従来技術にあっては、いずれの従来技術も、開閉カバーと装置の動作との間になんらの関連性もなく、記憶メディアからのデータの読出中等の動作中に開閉カバーの開閉が可能であるだけでなく、開閉カバーが開かれても、記憶メディアへのアクセス動作を制御することを行っていないため、記憶メディアからのデータの読出中等の動作中に開閉カバーが開かれて、記憶メディアが引き抜かれると、記憶メディア自体や記憶メディア内のデータが破壊されたり、アプリケーションのストール等が発生するという問題があった。
【００１０】
そこで、本発明は、画像処理対象の画像データを記憶する携帯型記憶媒体を挿入する挿入口を、カバーで覆うとともに当該カバーの開閉を検出し、当該カバー開閉検出結果に基づいて、携帯型記憶媒体からの画像データの読み込み動作の中止や画像処理後の画像の印刷出力の停止等の動作制御を行うとともに、カバーを閉じることを要求することにより、携帯型記憶媒体からの画像データの読み込み中に携帯型記憶媒体が引き抜かれて、携帯型記憶媒体自体や記憶媒体内の画像データが破壊されたり、アプリケーションのストール等の不必要な処理要求の発生を防止し、安全で利用性の良好な画像処理装置を提供することを目的としている。
【００１１】
具体的には、請求項１記載の発明は、画像処理対象の画像データを記憶する携帯型記憶媒体を挿入する挿入口を、カバーで覆うとともにカバーの開閉を検出し、当該カバー開閉検出結果に基づいて、携帯型記憶媒体からの画像データの読み込み動作を制御することにより、携帯型記憶媒体からの画像データの読み込み中に携帯型記憶媒体が引き抜かれて、携帯型記憶媒体自体や記憶媒体内の画像データが破壊されたり、アプリケーションのストール等の不必要な処理要求の発生を防止し、安全で利用性の良好な画像処理装置を提供することを目的としている。
【００１２】
請求項２記載の発明は、携帯型記憶媒体からの画像データの読み込み動作中に、カバーの開かれたことを検出すると、画像データの読み込み動作を中止し、カバーを閉じることを要求する報知情報を報知出力することにより、携帯型記憶媒体からの画像データの読み込み中に携帯型記憶媒体が引き抜かれて、携帯型記憶媒体自体や記憶媒体内の画像データが破壊されたり、アプリケーションのストール等の不必要な処理要求の発生を確実に防止し、より一層安全で利用性の良好な画像処理装置を提供することを目的としている。
【００１３】
請求項３記載の発明は、挿入口に挿入された携帯型記憶媒体の画像データの画像を表示手段に表示して、表示した画像のうち選択された画像の画像データを携帯型記憶媒体から読み込んで、当該読み込んだ画像データに種々の画像処理を施すとともに、当該画像処理中に、カバーの開かれたことを検出すると、当該画像データの読み込み動作を中止し、カバーを閉じることを要求する報知情報を報知出力することにより、画像データを選択して画像処理する際に、途中で携帯型記憶媒体が引き抜かれて、携帯型記憶媒体自体や記憶媒体内の画像データが破壊されたり、アプリケーションのストール等の不必要な処理要求の発生を確実に防止し、より一層安全で利用性の良好な画像処理装置を提供することを目的としている。
【００１４】
請求項４記載の発明は、画像データを携帯型記憶媒体から読み込むと、画像処理を開始する前に、カバーを開けて当該携帯型記憶媒体を挿入口から取り出すことを要求する報知情報を報知出力することにより、挿入口に挿入された携帯型記憶媒体の取り忘れを防止し、利用性のより一層良好な画像処理装置を提供することを目的としている。
【００１５】
請求項５記載の発明は、携帯型記憶媒体を挿入口から取り出すことを要求する報知情報を表示出力するとともに、カバーの開閉を検出して携帯型記憶媒体が挿入口から引き抜かれるまで、当該報知情報の表示出力を継続することにより、挿入口に挿入された携帯型記憶媒体の取り忘れを確実に防止し、利用性のより一層良好な画像処理装置を提供することを目的としている。
【００１６】
請求項６記載の発明は、画像処理した画像を印刷出力するとともに、画像処理中にカバーの開閉を検出すると、印刷出力前に、携帯型記憶媒体から画像データの読み込み直しを行うか否かを問い合わせる問い合わせ情報を報知出力し、当該問い合わせ情報に基づく読み直しの要否に応じて処理を行うことにより、画像データの読み込みミスによる印刷ミスを軽減し、利用性のより一層良好な画像処理装置を提供することを目的としている。
【００１７】
請求項７記載の発明は、問い合わせ情報を表示出力することにより、問い合わせ情報を確実に確認して対応できるようにして、画像データの読み込みミスによる印刷ミスをより一層軽減し、利用性のより一層良好な画像処理装置を提供することを目的としている。
【００１８】
請求項８記載の発明は、問い合わせ情報をブザー音として出力することにより、問い合わせ情報を確実に確認して対応できるようにして、画像データの読み込みミスによる印刷ミスをより一層軽減し、利用性のより一層良好な画像処理装置を提供することを目的としている。
【００１９】
請求項９記載の発明は、問い合わせ情報を音声メッセージとして音声出力することにより、問い合わせ情報を確実に確認して対応できるようにして、画像データの読み込みミスによる印刷ミスをより一層軽減し、利用性のより一層良好な画像処理装置を提供することを目的としている。
【００２０】
請求項１０記載の発明は、問い合わせ情報を動画の形式で表示出力することにより、問い合わせ情報を分かりやすく、かつ、確実に確認して対応できるようにして、画像データの読み込みミスによる印刷ミスをより一層軽減し、利用性のより一層良好な画像処理装置を提供することを目的としている。
【課題を解決するための手段】
【００２１】
請求項１記載の発明の画像処理装置は、携帯型記憶媒体が着脱可能に装着される挿入口と、当該挿入口を開閉可能に覆うカバーと、当該カバーの開閉を検出する開閉検出手段と、前記カバーを開けて前記挿入口に挿入された前記携帯型記憶媒体から少なくとも画像データを読み込んで、当該読み込んだ画像データに種々の画像処理を施す画像処理装置であって、前記開閉検出手段の検出結果に基づいて前記挿入口に挿入されている前記携帯型記憶媒体からの前記画像データの読み込み動作を制御することにより、上記目的を達成している。
【００２２】
この場合、例えば、請求項２に記載するように、前記画像処理装置は、所定の報知手段を備え、前記携帯型記憶媒体からの前記画像データの読み込み動作中に、前記開閉検出手段が前記カバーの開かれたことを検出すると、当該画像データの読み込み動作を中止し、前記カバーを閉じることを要求する報知情報を前記報知手段から出力するものであってもよい。
【００２３】
また、例えば、請求項３に記載するように、前記画像処理装置は、所定の報知手段、所定の表示手段及び所定の選択手段を備え、前記挿入口に挿入された前記携帯型記憶媒体の画像データの画像を当該表示手段に表示して、当該表示した画像のうち前記選択手段で選択された画像の画像データを前記携帯型記憶媒体から読み込んで、当該読み込んだ画像データに種々の画像処理を施すとともに、当該画像処理中に、前記開閉検出手段が前記カバーの開かれたことを検出すると、当該画像データの読み込み動作を中止し、前記カバーを閉じることを要求する報知情報を前記報知手段から出力するものであってもよい。
【００２４】
さらに、例えば、請求項４に記載するように、前記画像処理装置は、前記画像データを前記携帯型記憶媒体から読み込むと、前記画像処理を開始する前に、前記カバーを開けて当該携帯型記憶媒体を前記挿入口から取り出すことを要求する報知情報を前記報知手段から出力するものであってもよい。
【００２５】
また、例えば、請求項５に記載するように、前記画像処理装置は、前記報知手段が表示手段であり、前記報知情報を当該表示手段に表示出力するとともに、前記開閉検出手段が前記カバーの開閉を検出して前記携帯型記憶媒体が前記挿入口から引き抜かれるまで、当該報知情報の当該表示手段への表示出力を継続するものであってもよい。
【００２６】
さらに、例えば、請求項６に記載するように、前記画像処理装置は、所定の報知手段と、画像を記録媒体に印刷出力する印刷手段とを備え、前記画像処理した前記画像を前記印刷手段で印刷出力するとともに、当該画像処理中に前記開閉検出手段が前記カバーの開閉を検出すると、前記当該印刷出力前に、前記携帯型記憶媒体から画像データの読み込み直しを行うか否かを問い合わせる問い合わせ情報を前記報知手段から報知出力し、当該問い合わせ情報に基づく読み直しの要否に応じて処理を行うものであってもよい。
【００２７】
また、例えば、請求項７に記載するように、前記報知手段は、所定の表示手段であり、前記問い合わせ情報を当該表示手段に表示出力するものであってもよい。
【００２８】
さらに、例えば、請求項８に記載するように、前記報知手段は、所定のブザー音を出力するブザー音出力手段であり、前記問い合わせ情報をブザー音としてブザー音出力手段から出力するものであってもよい。
【００２９】
また、例えば、請求項９に記載するように、前記報知手段は、音声メッセージを出力する音声出力手段であり、前記問い合わせ情報を音声メッセージとして前記音声出力手段から出力するものであってもよい。
【００３０】
さらに、例えば、請求項１０に記載するように、前記報知手段は、動画を表示出力する動画表示手段であり、前記問い合わせ情報を動画の形式で当該動画表示手段に表示出力するものであってもよい。
【発明の効果】
【００３１】
請求項１記載の発明の画像処理装置によれば、画像処理対象の画像データを記憶する携帯型記憶媒体を挿入する挿入口を、カバーで覆うとともにカバーの開閉を検出し、当該カバー開閉検出結果に基づいて、携帯型記憶媒体からの画像データの読み込み動作を制御するので、携帯型記憶媒体からの画像データの読み込み中に携帯型記憶媒体が引き抜かれて、携帯型記憶媒体自体や記憶媒体内の画像データが破壊されたり、アプリケーションのストール等の不必要な処理要求の発生を防止することができ、安全性を向上させることができるとともに、利用性を向上させることができる。
【００３２】
請求項２記載の発明の画像処理装置によれば、携帯型記憶媒体からの画像データの読み込み動作中に、カバーの開かれたことを検出すると、画像データの読み込み動作を中止し、カバーを閉じることを要求する報知情報を報知出力するので、携帯型記憶媒体からの画像データの読み込み中に携帯型記憶媒体が引き抜かれて、携帯型記憶媒体自体や記憶媒体内の画像データが破壊されたり、アプリケーションのストール等の不必要な処理要求の発生を確実に防止することができ、より一層安全性を向上させることができるとともに、利用性を向上させることができる。
【００３３】
請求項３記載の発明の画像処理装置によれば、挿入口に挿入された携帯型記憶媒体の画像データの画像を表示手段に表示して、表示した画像のうち選択された画像の画像データを携帯型記憶媒体から読み込んで、当該読み込んだ画像データに種々の画像処理を施すとともに、当該画像処理中に、カバーの開かれたことを検出すると、当該画像データの読み込み動作を中止し、カバーを閉じることを要求する報知情報を報知出力するので、画像データを選択して画像処理する際に、途中で携帯型記憶媒体が引き抜かれて、携帯型記憶媒体自体や記憶媒体内の画像データが破壊されたり、アプリケーションのストール等の不必要な処理要求の発生を確実に防止することができ、より一層安全性を向上させることができるとともに、利用性を向上させることができる。
【００３４】
請求項４記載の発明の画像処理装置によれば、画像データを携帯型記憶媒体から読み込むと、画像処理を開始する前に、カバーを開けて当該携帯型記憶媒体を挿入口から取り出すことを要求する報知情報を報知出力するので、挿入口に挿入された携帯型記憶媒体の取り忘れを防止することができ、利用性をより一層向上させることができる。
【００３５】
請求項５記載の発明の画像処理装置によれば、携帯型記憶媒体を挿入口から取り出すことを要求する報知情報を表示出力するとともに、カバーの開閉を検出して携帯型記憶媒体が挿入口から引き抜かれるまで、当該報知情報の表示出力を継続するので、挿入口に挿入された携帯型記憶媒体の取り忘れを確実に防止することができ、利用性をより一層向上させることができる。
【００３６】
請求項６記載の発明の画像処理装置によれば、画像処理した画像を印刷出力するとともに、画像処理中にカバーの開閉を検出すると、印刷出力前に、携帯型記憶媒体から画像データの読み込み直しを行うか否かを問い合わせる問い合わせ情報を報知出力し、当該問い合わせ情報に基づく読み直しの要否に応じて処理を行うので、画像データの読み込みミスによる印刷ミスを軽減することができ、利用性をより一層向上させることができる。
【００３７】
請求項７記載の発明の画像処理装置によれば、問い合わせ情報を表示出力するので、問い合わせ情報を確実に確認して対応できるようにして、画像データの読み込みミスによる印刷ミスをより一層軽減することができ、利用性をより一層向上させることができる。
【００３８】
請求項８記載の発明の画像処理装置によれば、問い合わせ情報をブザー音として出力するので、問い合わせ情報を確実に確認して対応できるようにして、画像データの読み込みミスによる印刷ミスをより一層軽減することができ、利用性をより一層向上させることができる。
【００３９】
請求項９記載の発明の画像処理装置によれば、問い合わせ情報を音声メッセージとして音声出力するので、問い合わせ情報を確実に確認して対応できるようにして、画像データの読み込みミスによる印刷ミスをより一層軽減することができ、利用性をより一層向上させることができる。
【００４０】
請求項１０記載の発明の画像処理装置によれば、問い合わせ情報を動画の形式で表示出力するので、問い合わせ情報を分かりやすく、かつ、確実に確認して対応できるようにして、画像データの読み込みミスによる印刷ミスをより一層軽減することができ、利用性をより一層向上させることができる。
【発明を実施するための最良の形態】
【００４１】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００４２】
図１〜図１０は、本発明の画像処理装置の第１実施例を示す図であり、図１は、本発明の画像処理装置の第１実施例を適用した複合装置１のブロック構成図である。
【００４３】
図１において、複合装置１は、大きく分けて、本体部１００と操作制御部２００とを備えており、本体部１００と操作制御部２００とは、ハブ（ＨＵＢ）２を介して接続されている。ハブ２は、ネットワーク、例えば、ＬＡＮ（Local Area Network）等のネットワークＮＷにも接続されており、複合装置１は、ハブ２を介してネットワークＮＷに接続されている他の機器、例えば、コンピュータ、プリンタ、スキャナ及びサーバと接続されている。
【００４４】
本体部１００は、画像処理ユニット１０１、印刷制御ユニット１０２、印刷ユニット１０３、画像読取制御ユニット１０４、画像読取ユニット１０５、ハードディスク（ＨＤＤ）１０６、ＦＡＸ制御ユニット１０７、ＬＡＮ制御部１０８、操作入力制御ユニット１０９、表示制御ユニット１１０及び制御パネルＩ／Ｆ１１１等を備えており、画像処理ユニット１０１は、ＣＰＵ（Central Processing Unit ）１２１、ＲＯＭ（Read Only Memory）１２２、ＳＤＲＡＭ（Synchronous Dynamic Random Access Memory）１２３及びＮＶＲＡＭ（Nonvolatile Random Access Memory）１２４等を備えている。
【００４５】
また、操作制御部２００は、ＣＰＵ２０１、ＬＡＮ制御部２０２、メモリユニット２０３、記憶部制御ユニット２０４、記憶部２０５、制御パネル通信ユニット２０６、表示制御ユニット２０７、操作入力制御ユニット２０８、オーディオ制御ユニット２０９、入出力ポート制御ユニット２１０、制御パネルＩ／Ｆ２１１、操作パネル２１２、入出力デバイス制御ユニット２１３、外部メディア入出力部２１４及び各種インターフェース２１５等を備えており、上記操作パネル２１２には、表示部２２１、スピーカ２２２、ブザー２２３、操作入力部２２４、各種メディアＩ／Ｆ２２５及びメディアカバー開閉検知部２２６等が設けられている。
【００４６】
まず、本体部１００の画像処理制御ユニット１０１について説明する。画像処理制御ユニット１０１のＮＶＲＡＭ１２４は、不揮発性メモリであり、複合装置１の電源がオフの場合にも記憶しておくべきデータを記憶する。ＲＯＭ１２２は、複合装置１の制御プログラム及びシステムデータ等を格納しており、ＳＤＲＡＭ１２３は、ＣＰＵ１２１のワークメモリとして利用される。画像処理制御ユニット１０１には、ハードディスク１０６が接続されており、ハードディスク１０６は、各種データ、例えば、読取画像データやネットワークＮＷを介して受信した画像データ等がＣＰＵ１２１の制御下で格納される。
【００４７】
そして、画像処理制御ユニット１０１は、そのＣＰＵ１２１がＲＯＭ１２２のプログラムに基づいて、ＳＤＲＡＭ１２３をワークメモリとして利用しつつ複合装置１の各部を制御して複合装置１としての基本処理及び画像処理を実行するとともに、画像データに必要な画像処理を施して印刷制御ユニット１０２に出力し、また、ＬＡＮ制御部１０８に出力する。
【００４８】
印刷制御ユニット１０２には、所定の印刷方式、例えば、電子写真方式で画像データに基づいて画像を用紙に印刷処理する印刷ユニット１０３が接続されており、印刷制御ユニット１０２は、画像処理制御ユニット１０１で処理された画像データに基づいて印刷部１０３を制御して画像を印刷出力させる。
【００４９】
画像読取制御ユニット１０４には、原稿に光を照射してその反射光を光電変換素子で光電変換することで原稿を主走査及び副走査して当該原稿の画像を読み取る画像読取ユニット１０５が接続されており、画像読取制御ユニット１０４は、画像読取ユニット１０５を制御して原稿の画像を読み取らせ、画像読取ユニット１０５の読み取った原稿の画像をデジタル変化にして画像処理制御ユニット１０１に出力する。
【００５０】
ＦＡＸ制御ユニット１０７は、ＰＢＸ３００を介して一般公衆回線に接続されており、相手ファクシミリ装置との間で所定のファクシミリ制御信号を交換してファクシミリ通信処理を行って、相手装置との間で画像データの送受信を行う。
【００５１】
ＬＡＮ制御部１０８は、画像処理制御ユニット１０１及びハブ２に接続されており、ハブ２を介して操作制御部２００に接続されているとともに、ネットワークＮＷに接続されている。ＬＡＮ制御部１０８は、ＣＰＵ１２１の制御下で、操作制御部２００との間で画像データ等のデータの交換を行うとともに、ネットワークＮＷに接続されている端末と通信して、画像データの送・受信等を行う。
【００５２】
操作入力制御ユニット１０９及び表示制御ユニット１１０は、画像処理制御ユニット１０１及び制御パネルＩ／Ｆ１１１に接続されており、制御パネルＩ／Ｆ１１１は、操作制御部２００の制御パネル通信ユニット２０６に接続されている。操作入力制御ユニット１０９及び表示制御ユニット１１０は、制御パネルＩ／Ｆ１１１を介して操作制御部２００と画像処理制御ユニット１０１との間での操作コマンドの入出力処理及び表示データの出力処理を行う。
【００５３】
上記操作制御部２００のＬＡＮ制御部２０２は、ハブ２に接続されており、ハブ２を介して本体部１００のＬＡＮ制御部１０８に接続されており、ＣＰＵ２０１の制御下で、本体部１００との間で画像データ等のデータの交換を行う。
【００５４】
記憶部２０５は、各種データ、特に、操作制御部２００の制御に必要なアプリケーションを記憶しており、ＣＰＵ２０１は、この記憶部２０５の記憶するアプリケーションに基づいてメモリユニット２０３を利用して、操作制御部２００の各部を制御して、操作パネル２１２の動作制御を行うとともに、後述する本実施例の記憶メディア制御処理を実行する。
【００５５】
操作パネル２１２は、例えば、図２に示すように、ＬＣＤ（Liquid Crystal Display）の表示部（報知手段、表示手段）２２１、操作パネル２１２の両側部に設けられていて音声を拡声出力するスピーカ（報知手段、音声出力手段）２２２、操作パネル２１２の内部に設けられていてブザー音を拡声出力するブザー（報知手段、ブザー音出力手段）２２３、テンキーやファンクションキー等の操作入力部２２４及びメディアカバー（カバー）２３０等が設けられており、メディアカバー２３０は、図３に示すように、パネル部２３１と、パネル部２３１に所定角度開閉可能に取り付けられているカバー部２３２と、を備えている。メディアカバー２３０は、そのパネル部２３１が操作パネル２１２の手前側の側面に、ねじ２３３により取り付けられることで、操作パネル２１２に取り付けられ、パネル部２３１には、操作パネル２１２方向に往復移動可能であって、操作パネル２１２から離れる方向に図示しないスプリング等の弾性部材で付勢されているピン２３４が配設されており、カバー部２３２には、閉じられたときに当該ピン２３４を操作パネル２１２方向に押し込むピン押し部２３５が設けられている。
【００５６】
そして、操作パネル２１２のメディアカバー２３０の取り付けられる部分には、図３に示すように、各種メディアＩ／Ｆ２２５が設けられており、各種メディアＩ／Ｆ２２５には、磁気、光、または、電気を利用してデータの読み書きを行うことが可能な携帯性を有する記憶メディア（携帯型記憶媒体）、例えば、ＣＤ−ＲＯＭ（Compact Disc Read Only Memory）、ＣＤ−Ｒ（Compact Disc Recordable ）、ＣＤ−ＲＷ（Compact Disc Rewritable ）、ＤＶＤ−ＲＯＭ（Digital Video Disk Read Only Memory ）、ＤＶＤ−Ｒ（Digital Video Disk Recordable ）、ＤＶＤ＋ＲＷ（Digital Video Disk Rewritable ）等の光ディスク、コンパクトフラッシュメモリ、メモリスティック（ＭＳ）、スマートメディア、メモリカードメモリ、フロッピーディスク（登録商標）、Ｚｉｐ、ＭＯ（光磁気ディスク）、ＭＤ（Mini Disc ）、ＤＡＴ（Digital Audio Tape）、ＤＣＣ（Digital Compact Cassette）、磁気カード、ＩＣカード等、特に、その携帯性に優れているコンパクトフラッシュメモリ、メモリスティック、スマートメディア及びメモリカード等が着脱可能に挿入される。
【００５７】
この操作パネル２１２のメディアカバー２３０の取り付けられる部分には、上記ねじ２３３のねじ込まれるねじ受け２３７と、上記ピン２３４の押し込みと引き出しによってＯＮ（オン）／ＯＦＦ（オフ）して、カバー部２３２の開閉、すなわち、メディアカバー２３０の開閉を検出するメディアカバー開閉検知部（開閉検出手段）２２６が設けられている。
【００５８】
また、パネル部２３１には、操作パネル２１２の各種メディアＩ／Ｆ２２５に対応する位置に、各種記憶メディアが挿入されて各種メディアＩ／Ｆ２２５への当該各種記憶メディアの挿入・取り出しを可能とするメディア挿入口（挿入口）２３６が形成されている。
【００５９】
再び、図１において、表示制御ユニット２０７は、操作パネル２１２の表示部２２１の表示を制御し、操作入力制御ユニット２０８は、操作パネル２１２でのテンキーやファンクションキー等の操作入力部２２４の入力操作の検出を行う。
【００６０】
オーディオ制御ユニット２０９は、ＣＰＵ２０１の制御下で、制御パネルＩ／Ｆ２１１を介して、操作パネル２１２のスピーカ２２２からの各種メッセージの音声出力及びブザー２２３の駆動によるブザーの鳴動を制御し、入出力ポート制御ユニット２１０は、ＣＰＵ２０１の制御下で、操作パネル２１２との間で各種データの入出力を制御する。
【００６１】
入出力デバイス制御ユニット２１０には、イヤホン等の外部デバイス、外部メディア入出力部２１４、各種インターフェース２１５等が接続されており、入出力デバイス制御ユニット２１０は、これらの各種入力デバイスの制御を行う。
【００６２】
次に、本実施例の作用を説明する。本実施例の複合装置１は、各種記憶メディアの各種メディアＩ／Ｆ２２５への挿入口であるメディア挿入口２３６の形成されているパネル部２３１と、当該パネル部２３のメディア挿入口２３６を開閉可能に覆うカバー部２３２と、からなるメディアカバー２３０が取り付けられており、このカバー部２３２が開閉、すなわち、メディアカバー２３０が開閉されて、メディア挿入口２３６に記憶メディアが挿入されると、当該記憶メディアの画像データを読み取って、印刷フォームや印刷タイプ等が決定されると、記憶メディアの取り出しを要求して、課金処理を行った後、当該画像の印刷出力を行うとともに、この一連の画像処理において、メディアカバー２３０の開閉動作をメディアカバー開閉検知部２２６で検出して、適切なメディアカバー２３０の開閉動作を検出すると、上記画像処理を行うが、不適切なメディアカバー２３０の開閉動作を検出すると、記憶メディアの保護及びデータの保護を行う処理を実行する。以下、このフォーム印刷サービス処理について、図４から図６のフローチャートに基づいて説明する。
【００６３】
すなわち、ユーザが記憶メディアに格納されている画像を複合装置１に印刷させるために、操作パネル２１２の操作でメディア印刷モードを選択すると、複合装置１は、図４に示すように、まず、初期画面を表示し（ステップＳ１０１）、当該初期画面の表示に基づいて、フォーム印刷の選択が行われ（ステップＳ１０２）、記憶メディア種の選択が行われると（ステップＳ１０３）、例えば、図７に示すようなメディア挿入要求画面を操作パネル２１２の表示部２２１に表示して、例えば、「カバーを開けてメディアを挿入してください。」等を当該メディア挿入要求画面に表示する（ステップＳ１０４）。
【００６４】
その後、メディアカバー２３０が開かれて、記憶メディアが挿入されると（ステップＳ１０５）、複合装置１は、メディアカバー２３０を自動的に閉じて、当該挿入された記憶メディアが予め設定されている認識時間内に認識できるかチェックし（ステップＳ１０６、Ｓ１０７）、記憶メディアの認識を行えないままタイムアウトすると、初期画面に戻って上記同様に処理する（ステップＳ１０１〜Ｓ１０７）。
【００６５】
ステップＳ１０６で、メディアを認識すると、複合装置１は、印刷フォーム、印刷タイプ及び用紙サイズ等の印刷条件の選択を開始し（ステップＳ１０８）、この間、メディアカバー２３０が閉じられたままであるかチェックする（ステップＳ１０９）。すなわち、複合装置１は、メディアカバー開閉検知部２２６の検知結果に基づいてメディアカバー２３０が開かれたか、閉じられたままであるかを判別する。このメディアカバー２３０は、各種メディアＩ／Ｆ２２５への記憶メディアの挿入口であるパネル部２３１のメディア挿入口２３６を全て覆う状態で、カバー部２３２が取り付けられており、このカバー部２３２の開閉によってカバー部２３２に形成されているピン押し部２３５が、パネル部２３１に設けられているピン２３４を、操作パネル２１２に取り付けられているメディアカバー開閉検知部２２６の方向に移動させて、カバー部２３２の開閉をメディア開閉検知部２２６が検知する。
【００６６】
そして、ステップＳ１０９で、メディアカバー２３０が開かれると、複合装置１は、例えば、図８に示すように、例えば、「メディアカバーが開いています。カバーを閉じてください。」等のメディアカバー２３０を閉じることを要求するカバー閉じ要求画面を操作パネル２１２の表示部２２１に表示して、当該カバー閉じ要求画面に表示している確認ボタン２５０がマウス等でクリック等されることで、確認コマンドが入力されるのを待って（ステップＳ１１０）、記憶メディアが各種メディアＩ／Ｆ２２５から抜かれたかチェックする（ステップＳ１１１）。
【００６７】
ステップＳ１１１で、記憶メディアが抜かれないときには、複合装置１は、ステップＳ１０９に戻ってメディアカバー２３０が閉じられているかチェックし（ステップＳ１０９）、メディアカバー２３０が開かれて、ステップＳ１１１で記憶メディアが各種メディアＩ／Ｆ２２５から抜かれると、図６のステップＳ１１２に移行して、図９に示すように、例えば、「記憶メディアが抜かれたのでフォーム印刷サービスを終了します。」等のフォーム印刷サービスの終了を通知するフォーム印刷サービス終了通知画面を操作パネル２１２の表示部２２１に表示して、初期画面に戻る（ステップＳ１１２）。
【００６８】
複合装置１は、上記ステップＳ１０９で、メディアカバー２３０が閉じられているときには、印刷フォーム、印刷タイプ及び用紙サイズ等の選択が完了したかチェックし（ステップＳ１１３）、選択が完了していないときには、ステップＳ１０９に戻って、メディアカバー２３０が閉じられているかのチェックから上記同様に処理する（ステップＳ１０９〜Ｓ１１３）。
【００６９】
ステップＳ１１３で、選択が完了すると、複合装置１は、図５に示すように、各種メディアＩ／Ｆ２２５に挿入されている記憶メディアから画像データを読み込むメディア画像読込処理を行い（ステップＳ１１４）、メディアカバー２３０が閉じられているかチェックする（ステップＳ１１５）。
【００７０】
ステップＳ１１５で、メディアカバー２３０が開かれると、複合装置１は、記憶メディアからのメディア画像の読み込みを中止し（ステップＳ１１６）、図８に示したようなカバー閉じ要求画面を操作パネル２１２の表示部２２１に表示して、当該カバー閉じ要求画面に表示している確認ボタン２５０がマウス等でクリック等されて（ステップＳ１１７）、記憶メディアが抜かれていないことを確認すると（ステップＳ１１８）、記憶メディアからのメディア画像の読み込みを再開する（ステップＳ１１８、Ｓ１１４）。
【００７１】
ステップＳ１１８で、記憶メディアが抜かれると、複合装置１は、図６に示すように、フォーム印刷サービスの終了を通知するフォーム印刷サービス終了通知画面を操作パネル２１２の表示部２２１に表示して、初期画面に戻る（ステップＳ１１２）。
【００７２】
ステップＳ１１５で、メディアカバー２３０が閉じられているときには、複合装置１は、読み込んだ画像データから画像選択用のサムネイル画像を生成して操作パネル２１２の表示部２２１に表示して、印刷を行う画像の選択処理を開始し（ステップＳ１１９）、メディアカバー２３０が閉じられているかチェックする（ステップＳ１２０）。
【００７３】
複合装置１は、ステップＳ１２０で、メディアカバー２３０が閉じられているときには、画像選択が完了したかチェックして（ステップＳ１２１）、画像選択が完了していないときには、ステップＳ１２０に戻ってメディアカバー２３０が閉じられているかの処理を画像選択が完了するまで行い（ステップＳ１２０、Ｓ１２１）、ステップＳ１２０で、メディアカバー２３０が開けられると、図８に示したようなカバー閉じ要求画面を操作パネル２１２の表示部２２１に表示して、当該カバー閉じ要求画面に表示している確認ボタン２５０がマウス等でクリック等が行われて（ステップＳ１２２）、記憶メディアが抜かれていないことを確認すると（ステップＳ１２３）、画像選択処理を再開して、上記同様に処理する（ステップＳ１２０〜Ｓ１２３）。
【００７４】
ステップＳ１２３で、記憶メディアが抜かれると、複合装置１は、図６に示したように、フォーム印刷サービスの終了を通知するフォーム印刷サービス終了通知画面を操作パネル２１２の表示部２２１に表示して、初期画面に戻る（ステップＳ１１２）。
【００７５】
そして、複合装置１は、ステップＳ１２１で、画像選択が完了すると、印刷準備を開始し（ステップＳ１２４）、図６に示すように、記憶メディアから画像の読み込みを行って（ステップＳ１２５）、メディアカバー２３０が閉じられているかチェックする（ステップＳ１２６）。この印刷準備では、記憶メディアから読み込んだ画像を最初に設定した印刷フォーム、印刷タイプ及び用紙に適した形式に変換する処理を行う。
【００７６】
そして、複合装置１は、この印刷準備中に、ステップＳ１２６で、メディアカバー２３０が閉じられているときには、印刷準備が完了したか、すなわち、選択された画像を全て記憶メディアから読み込んで、設定された印刷フォーム、印刷タイプ及び用紙に適した形式に変換する処理が完了したかチェックし（ステップＳ１２７）、印刷準備が完了していないときには、メディア画像の読み込みから上記同様に処理する（ステップＳ１２５〜Ｓ１２７）。
【００７７】
ステップＳ１２６で、メディアカバー２３０が開かれたことをメディアカバー開閉検知部２２６が検知すると、複合装置１は、記憶メディアからのメディア画像の読み込みを中止し（ステップＳ１２８）、図８に示したようなカバー閉じ要求画面を操作パネル２１２の表示部２２１に表示して、当該カバー閉じ要求画面に表示している確認ボタン２５０がマウス等でクリック等されて（ステップＳ１２９）、記憶メディアが抜かれていないことを確認すると（ステップＳ１３０）、記憶メディアからのメディア画像の読み込みを再開する（ステップＳ１２５）。
【００７８】
ステップＳ１３０で、記憶メディアが抜かれると、複合装置１は、フォーム印刷サービスの終了を通知するフォーム印刷サービス終了通知画面を操作パネル２１２の表示部２２１に表示して、初期画面に戻る（ステップＳ１１２）。
【００７９】
上記ステップＳ１２７で、印刷準備が完了すると、複合装置１は、例えば、「印刷スタート前にメディアを取り出してください。」等のメディア取出要求画面を表示し（ステップＳ１３１）、このメディア取出要求画面の表示に応じて、操作者が記憶メディアの取り出しを行う。そして、複合装置１は、メディア取出要求画面の表示を行うと、課金処理を行って、料金が投入されると（ステップＳ１３２）、印刷準備した画像の印刷処理を開始し（ステップＳ１３３）、選択された画像の設定された印刷枚数だけ印刷して印刷を完了すると（ステップＳ１３４）、例えば、図１０に示したように、「フォーム印刷サービスを終了し、メニュー画面に戻ります。」等のフォーム印刷サービス終了画面を操作パネル２１２の表示部２２１に表示して、当該フォーム印刷サービス終了画面に表示している確認ボタン２５０がマウス等でクリック等されてると、フォーム印刷サービス処理を終了して、初期画面に戻る（ステップＳ１３５）。
【００８０】
このように、本実施例の複合装置１は、画像処理対象の画像データを記憶する各種記憶メディアを挿入するメディア挿入口２３６を、メディアカバー２３０で覆うとともにメディアカバー２３０の開閉をメディアカバー開閉検知部２２６で検出し、カバー開閉検出結果に基づいて、記憶メディアからの画像データの読み込み動作を制御している。
【００８１】
したがって、記憶メディアからの画像データの読み込み中に記憶メディアが引き抜かれて、記憶メディア自体や記憶メディア内の画像データが破壊されたり、アプリケーションのストール等の不必要な処理要求の発生を防止することができ、安全性を向上させることができるとともに、利用性を向上させることができる。
【００８２】
また、本実施例の複合装置１は、記憶メディアからの画像データの読み込み動作中に、メディアカバー２３０が開かれたことをメディアカバー開閉検知部２２６が検出すると、画像データの読み込み動作を中止し、メディアカバー２３０を閉じることを要求する報知情報を報知出力している。
【００８３】
したがって、記憶メディアからの画像データの読み込み中に記憶メディアが引き抜かれて、記憶メディア自体や記憶メディア内の画像データが破壊されたり、アプリケーションのストール等の不必要な処理要求の発生を確実に防止することができ、より一層安全性を向上させることができるとともに、利用性を向上させることができる。
【００８４】
さらに、本実施例の複合装置１は、メディア挿入口２３６に挿入された記憶メディアの画像データの画像を表示部２２１に表示して、表示した画像のうち操作入力部２２４の操作で選択された画像の画像データを記憶メディアから読み込んで、当該読み込んだ画像データに種々の画像処理を施すとともに、当該画像処理中に、メディアカバー２３０が開かれたことをメディアカバー開閉検知部２２６が検出すると、当該画像データの読み込み動作を中止し、メディアカバー２３０を閉じることを要求する報知情報を報知出力している。
【００８５】
したがって、画像データを選択して画像処理する際に、途中で記憶メディアが引き抜かれて、記憶メディア自体や記憶メディア内の画像データが破壊されたり、アプリケーションのストール等の不必要な処理要求の発生を確実に防止することができ、より一層安全性を向上させることができるとともに、利用性を向上させることができる。
【００８６】
また、本実施例の複合装置１は、画像データを記憶メディアから読み込むと、画像処理を開始する前に、メディアカバー２３０を開けて当該記憶メディアをメディア挿入口２３６から取り出すことを要求する報知情報を報知出力している。
【００８７】
したがって、メディア挿入口２３６に挿入された記憶メディアの取り忘れを防止することができ、利用性をより一層向上させることができる。
【実施例２】
【００８８】
図１１〜図１５は、本発明の画像処理装置の第２実施例を示す図であり、図１１〜図１４は、本発明の画像処理装置の第２実施例を適用した複合装置によるフォーム印刷サービス処理を示すフローチャート。
【００８９】
なお、本実施例は、上記第１実施例の複合装置１と同様の複合装置に適用したものであり、本実施例の説明においては、必要に応じて上記第１実施例の説明で用いた符号をそのまま用いて説明する。
【００９０】
本実施例の複合装置１は、印刷準備中にメディアカバー２３０が開かれると、メディアカバー２３０を開かれたことの報知及びその後の処理の選択を促す処理を適切に行う。
【００９１】
すなわち、本実施例の複合装置１は、ユーザが記憶メディアに格納されている画像を複合装置１に印刷させるために、操作パネル２１２の操作でメディア印刷モードを選択すると、図１１に示すように、まず、初期画面を表示し（ステップＳ２０１）、当該初期画面の表示に基づいて、フォーム印刷の選択が行われ（ステップＳ２０２）、記憶メディア種の選択が行われると（ステップＳ２０３）、例えば、図７に示したようなメディア挿入要求画面を操作パネル２１２の表示部２２１に表示して、例えば、「カバーを開けてメディアを挿入してください。」等を当該メディア挿入要求画面に表示する（ステップＳ２０４）。
【００９２】
その後、メディアカバー２３０が開かれて、記憶メディアが挿入されると（ステップＳ２０５）、複合装置１は、メディアカバー２３０を自動的に閉じて、当該挿入された記憶メディアが予め設定されている認識時間内に認識できるかチェックし（ステップＳ２０６、Ｓ２０７）、記憶メディアの認識を行えないままタイムアウトすると、初期画面に戻って上記同様に処理する（ステップＳ２０１〜Ｓ２０７）。
【００９３】
ステップＳ２０６で、メディアを認識すると、複合装置１は、印刷フォーム、印刷タイプ及び用紙サイズ等の印刷条件の選択を開始し（ステップＳ２０８）、この間、メディアカバー２３０が閉じられたままであるかチェックする（ステップＳ２０９）。すなわち、複合装置１は、メディアカバー開閉検知部２２６の検知結果に基づいてメディアカバー２３０が開かれたか、閉じられたままであるかを判別する。このメディアカバー２３０は、各種メディアＩ／Ｆ２２５への記憶メディアの挿入口であるパネル部２３１のメディア挿入口２３６を全て覆う状態で、カバー部２３２が取り付けられており、このカバー部２３２の開閉によってカバー部２３２に形成されているピン押し部２３５が、パネル部２３１に設けられているピン２３４を、操作パネル２１２に取り付けられているメディアカバー開閉検知部２２６の方向に移動させて、カバー部２３２の開閉をメディア開閉検知部２２６が検知する。
【００９４】
そして、ステップＳ２０９で、メディアカバー２３０が開かれると、複合装置１は、例えば、図８に示したように、例えば、「メディアカバーが開いています。カバーを閉じてください。」等のメディアカバー２３０を閉じることを要求するカバー閉じ要求画面を操作パネル２１２の表示部２２１に表示して、当該カバー閉じ要求画面に表示している確認ボタン２５０がマウス等でクリック等されることで、確認コマンドが入力されるのを待って（ステップＳ２１０）、記憶メディアが各種メディアＩ／Ｆ２２５から抜かれたかチェックする（ステップＳ２１１）。
【００９５】
ステップＳ１１１で、記憶メディアが抜かれないときには、複合装置１は、ステップＳ１０９に戻ってメディアカバー２３０が閉じられているかチェックし（ステップＳ２０９）、メディアカバー２３０が開かれて、ステップＳ２１１で記憶メディアが各種メディアＩ／Ｆ２２５から抜かれると、図１４のステップＳ２１２に移行して、図９に示したように、例えば、「記憶メディアが抜かれたのでフォーム印刷サービスを終了します。」等のフォーム印刷サービスの終了を通知するフォーム印刷サービス終了通知画面を操作パネル２１２の表示部２２１に表示して、初期画面に戻る（ステップＳ２１２）。
【００９６】
複合装置１は、上記ステップＳ２０９で、メディアカバー２３０が閉じられているときには、印刷フォーム、印刷タイプ及び用紙サイズ等の選択が完了したかチェックし（ステップＳ２１３）、選択が完了していないときには、ステップＳ２０９に戻って、メディアカバー２３０が閉じられているかのチェックから上記同様に処理する（ステップＳ２０９〜Ｓ２１３）。
【００９７】
ステップＳ２１３で、選択が完了すると、複合装置１は、図１２に示すように、各種メディアＩ／Ｆ２２５に挿入されている記憶メディアから画像データを読み込むメディア画像読込処理を行い（ステップＳ２１４）、メディアカバー２３０が閉じられているかチェックする（ステップＳ２１５）。
【００９８】
ステップＳ２１５で、メディアカバー２３０が開かれると、複合装置１は、記憶メディアからのメディア画像の読み込みを中止し（ステップＳ２１６）、図８に示したようなカバー閉じ要求画面を操作パネル２１２の表示部２２１に表示して、当該カバー閉じ要求画面に表示している確認ボタン２５０がマウス等でクリック等が行われて（ステップＳ２１７）、記憶メディアが抜かれていないことを確認すると（ステップＳ２１８）、記憶メディアからのメディア画像の読み込みを再開する（ステップＳ２１８、Ｓ２１４）。
【００９９】
ステップＳ２１８で、記憶メディアが抜かれると、複合装置１は、図１４に示したように、フォーム印刷サービスの終了を通知するフォーム印刷サービス終了通知画面を操作パネル２１２の表示部２２１に表示して、初期画面に戻る（ステップＳ２１２）。
【０１００】
ステップＳ２１５で、メディアカバー２３０が閉じられているときには、複合装置１は、読み込んだ画像データから画像選択用のサムネイル画像を生成して操作パネル２１２の表示部２２１に表示して、印刷を行う画像の選択処理を開始し（ステップＳ２１９）、メディアカバー２３０が閉じられているかチェックする（ステップＳ２２０）。
【０１０１】
複合装置１は、ステップＳ２２０で、メディアカバー２３０が閉じられているときには、画像選択が完了したかチェックして（ステップＳ２２１）、画像選択が完了していないときには、ステップＳ２２０に戻ってメディアカバー２３０が閉じられているかの処理を画像選択が完了するまで行い（ステップＳ２２０、Ｓ２２１）、ステップＳ２２０で、画像選択中にメディアカバー２３０が開けられると、図８に示したようなカバー閉じ要求画面を操作パネル２１２の表示部２２１に表示して、当該カバー閉じ要求画面に表示している確認ボタン２５０がマウス等でクリック等が行われて（ステップＳ２２２）、記憶メディアが抜かれていないことを確認すると（ステップＳ２２３）、画像選択処理を再開して、上記同様に処理する（ステップＳ２２０〜Ｓ２２３）。
【０１０２】
ステップＳ２２３で、記憶メディアが抜かれると、複合装置１は、図１４に示したように、フォーム印刷サービスの終了を通知するフォーム印刷サービス終了通知画面を操作パネル２１２の表示部２２１に表示して、初期画面に戻る（ステップＳ２１２）。
【０１０３】
そして、複合装置１は、ステップＳ２２１で、画像選択が完了すると、印刷準備を開始し（ステップＳ２２４）、図１３に示すように、記憶メディアから画像の読み込みを行って（ステップＳ２２５）、メディアカバー２３０が閉じられているかチェックする（ステップＳ２２６）。この印刷準備では、記憶メディアから読み込んだ画像を最初に設定した印刷フォーム、印刷タイプ及び用紙に適した形式に変換する処理を行う。
【０１０４】
そして、複合装置１は、この印刷準備中に、ステップＳ２２６で、メディアカバー２３０が閉じられているときには、印刷準備が完了したか、すなわち、選択された画像を全て記憶メディアから読み込んで、設定された印刷フォーム、印刷タイプ及び用紙に適した形式に変換する処理が完了したかチェックし（ステップＳ２２７）、印刷準備が完了していないときには、メディア画像の読み込みから上記同様に処理する（ステップＳ２２５〜Ｓ２２７）。
【０１０５】
ステップＳ２２６で、メディアカバー２３０が開かれたことをメディアカバー開閉検知部２２６が検知すると、複合装置１は、図１４に示すように、記憶メディアからのメディア画像の読み込みを中止し（ステップＳ２２８）、メディアカバー開閉検知フラグを「１」に設定した後（ステップＳ２２９）、図８に示したようなカバー閉じ要求画面を操作パネル２１２の表示部２２１に表示して、当該カバー閉じ要求画面に表示している確認ボタン２５０がマウス等でクリック等が行われて（ステップＳ２３０）、記憶メディアが抜かれていないことを確認すると（ステップＳ２３１）、図１３のステップＳ２２５に戻って、記憶メディアからのメディア画像の読み込みを再開する（ステップＳ２２５）。
【０１０６】
ステップＳ２３１で、記憶メディアが抜かれると、複合装置１は、フォーム印刷サービスの終了を通知するフォーム印刷サービス終了通知画面を操作パネル２１２の表示部２２１に表示して、初期画面に戻る（ステップＳ２１２）。
【０１０７】
上記図１３のステップＳ２２７で、印刷準備が完了すると、複合装置１は、メディア開閉検知フラグが「０」であるかチェックし（ステップＳ２３２）、メディア開閉検知フラグが「１」のとき、すなわち、印刷準備中に一度でもメディアカバー２３０が開かれたときには、例えば、図１５に示すように、「メディア画像を再度読み込み直す場合には、”再読み込み”ボタンを、そのまま継続する場合には、”継続”ボタンを押してください。」等の画像再読込選択画面を操作パネル２１２の表示部２２１に表示して、画像再読込選択要求を行い（ステップＳ２３３）、当該画像再読込選択画面の再読込ボタン２５１と継続ボタン２５２のいずれが押されたかチェックする（ステップＳ２３４）。
【０１０８】
なお、この画像再読込選択要求においては、上記画像再読込選択画面の表示部２２１への表示を行うことによるだけでなく、例えば、操作パネル２１２のブザー２２３を鳴動させてブザー音を出力することにより行ってもよいし、画像再読込選択画面の表示部２２１への表示とブザー２２３の鳴動によるブザー音の出力の両方を行ってもよい。例えば、ブザー音を２回鳴らし、表示部２２１に、「印刷開始する場合には、"印刷開始"ボタンを、再度読み込み直す場合には"再読み込み"ボタンを押して下さい」の表示を行う。そして、印刷準備中にメディアカバー２３０がずっと閉じていた場合には、ブザー音も表示もせずに印刷を開始する。
【０１０９】
また、画像再読込選択要求は、操作パネル２１２のスピーカ２２２から予め記憶部２０５またはメモリユニット２０３に格納されている画像再読込選択要求メッセージ、例えば、上記画像再読込選択画面に表示する「メディア画像を再度読み込み直す場合には、”再読み込み”ボタンを、そのまま継続する場合には、”継続”ボタンを押してください。」等のメッセージ内容を音声出力することにより行ってもよいし、画像再読込選択画面の表示部２２１への表示と画像再読込選択要求メッセージの音声出力の両方を行ってもよい。印刷準備中にメディアカバーがずっと閉じていた場合には、音声ガイダンスを流さずに印刷を開始する。
【０１１０】
さらに、画像再読込選択要求は、操作パネル２１２の表示部２２１への画像再読込選択要求動画アニメーションを表示することにより行ってもよく、この画像再読込選択要求動画アニメーションは、例えば、印刷を開始している動画アニメーションによる”印刷開始”ボタン選択と、メディアから再度読み込みを行っている動画アニメーションによる ”再読み込み”ボタン選択と、表示部２２１に表示する。そして、印刷準備中にメディアカバー２３０がずっと閉じていた場合には、動画アニメーションを、表示出力させずに、印刷を開始する。なお、複合装置１は、この動画アニメーションを、例えば、記憶部２０５またはメモリユニット２０３に格納されている動画像データに基づいて表示制御ユニット２０７が制御パネルＩ／Ｆ２１１を介して表示部２２１の表示を制御することで表示部２２１に表示する。
【０１１１】
このように、本実施例の複合装置１は、記憶メディアをメディア挿入口２３６から取り出すことを要求する報知情報を表示部２２１に表示出力するとともに、メディアカバー２３０の開閉をメディアカバー開閉検知部２２６で検出して記憶メディアがメディア挿入口２３６から引き抜かれるまで、当該報知情報の表示出力を継続している。
【０１１２】
したがって、メディア挿入口２３６に挿入された記憶メディアの取り忘れを確実に防止することができ、利用性をより一層向上させることができる。
【０１１３】
また、本実施例の複合装置１は、画像処理した画像を印刷出力するとともに、画像処理中にメディアカバー開閉検知部２２６がメディアカバー２３０の開閉を検出すると、印刷出力前に、記憶メディアから画像データの読み込み直しを行うか否かを問い合わせる問い合わせ情報を報知出力し、当該問い合わせ情報に基づく読み直しの要否に応じて処理を行っている。
【０１１４】
したがって、画像データの読み込みミスによる印刷ミスを軽減することができ、利用性をより一層向上させることができる。
【０１１５】
さらに、本実施例の複合装置１は、問い合わせ情報を表示部２２１に表示出力している。
【０１１６】
したがって、問い合わせ情報を確実に確認して対応できるようにして、画像データの読み込みミスによる印刷ミスをより一層軽減することができ、利用性をより一層向上させることができる。
【０１１７】
また、本実施例の複合装置１は、問い合わせ情報をブザー音としてブザー２２３を鳴動させて出力させている。
【０１１８】
したがって、問い合わせ情報を確実に確認して対応できるようにして、画像データの読み込みミスによる印刷ミスをより一層軽減することができ、利用性をより一層向上させることができる。
【０１１９】
さらに、本実施例の複合装置１は、問い合わせ情報を音声メッセージとしてスピーカ２２２から音声出力している。
【０１２０】
したがって、問い合わせ情報を確実に確認して対応できるようにして、画像データの読み込みミスによる印刷ミスをより一層軽減することができ、利用性をより一層向上させることができる。
【０１２１】
また、本実施例の複合装置１は、問い合わせ情報を動画の形式で表示部２２１に表示出力している。
【０１２２】
したがって、問い合わせ情報を分かりやすく、かつ、確実に確認して対応できるようにして、画像データの読み込みミスによる印刷ミスをより一層軽減することができ、利用性をより一層向上させることができる。
【０１２３】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【０１２４】
記憶メディアの挿入口を覆うカバーと当該カバーの開閉の検出に基づく記憶メディアのアクセスの制御により、データ読出中の記憶メディアの不用意な抜き取りを適切に防止する画像処理装置に適用することができる。
【図面の簡単な説明】
【０１２５】
【図１】本発明の画像処理装置の第１実施例を適用した複合装置のブロック構成図。
【図２】図１の複合装置の操作パネルの斜視図。
【図３】図２のメディアＩ／Ｆ部分とメディアカバー部分の分解拡大斜視図。
【図４】図１の複合装置によるフォーム印刷サービス処理を示すフローチャート。
【図５】図４のフォーム印刷サービス処理の続きの処理を示すフローチャート。
【図６】図５のフォーム印刷サービス処理のさらに続きの処理を示すフローチャート。
【図７】表示部に表示するメディア挿入要求画面の一例を示す図。
【図８】表示部に表示するカバー閉じ要求画面の一例を示す図。
【図９】表示部に表示するフォーム印刷サービス終了通知画面の一例を示す図。
【図１０】表示部に表示する印刷終了通知画面の一例を示す図。
【図１１】本発明の画像処理装置の第２実施例を適用した複合装置によるフォーム印刷サービス処理を示すフローチャート。
【図１２】図１１のフォーム印刷サービス処理の続きの処理を示すフローチャート。
【図１３】図１２のフォーム印刷サービス処理のさらに続きの処理を示すフローチャート。
【図１４】図１３のフォーム印刷サービス処理のさらに続きの処理を示すフローチャート。
【図１５】表示部に表示する画像再読込選択画面の一例を示す図。
【符号の説明】
【０１２６】
１  複合装置
２  ハブ（ＨＵＢ）
１００  本体部
１０１  画像処理ユニット
１０２  印刷制御ユニット
１０３  印刷ユニット
１０４  画像読取制御ユニット
１０５  画像読取ユニット
１０６  ハードディスク（ＨＤＤ）
１０７  ＦＡＸ制御ユニット
１０８  ＬＡＮ制御部
１０９  操作入力制御ユニット
１１０  表示制御ユニット
１１１  制御パネルＩ／Ｆ
１２１  ＣＰＵ
１２２  ＲＯＭ
１２３  ＳＤＲＡＭ
１２４  ＮＶＲＡＭ
２００  操作制御部
２０１  ＣＰＵ
２０２  ＬＡＮ制御部
２０３  メモリユニット
２０４  記憶部制御ユニット
２０５  記憶部
２０６  制御パネル通信ユニット
２０７  表示制御ユニット
２０８  操作入力制御ユニット
２０９  オーディオ制御ユニット
２１０  入出力ポート制御ユニット
２１１  制御パネルＩ／Ｆ
２１２  操作パネル
２１３  入出力デバイス制御ユニット
２１４  外部メディア入出力部
２１５  各種インターフェース
２２１  表示部
２２２  スピーカ
２２３  ブザー
２２４  操作入力部
２２５  各種メディアＩ／Ｆ
２２６  メディアカバー開閉検知部
３００  ＰＢＸ
２３０  メディアカバー
２３１  パネル部
２３２  カバー部
２３３  ねじ
２３４  ピン
２３５  ピン押し部
２３６  メディア挿入口
２５０  確認ボタン
２５１  再読込ボタン
２５２  継続ボタン
【図１】
2006135462.tif 000003
【図２】
2006135462.tif 000004
【図３】
2006135462.tif 000005
【図４】
2006135462.tif 000006
【図５】
2006135462.tif 000007
【図６】
2006135462.tif 000008
【図７】
2006135462.tif 000009
【図８】
2006135462.tif 000010
【図９】
2006135462.tif 000011
【図１０】
2006135462.tif 000012
【図１１】
2006135462.tif 000013
【図１２】
2006135462.tif 000014
【図１３】
2006135462.tif 000015
【図１４】
2006135462.tif 000016
【図１５】
2006135462.tif 000017